(57)【要約】【課題】１つのＩＰアドレスを用いて、ＰＣと他のＨ．３２３端末装置を同時にインターネットに接続する。【解決手段】ＬＡＮ側通信網送受信部１１と、ＷＡＮ側通信網送受信部１２と、受信データ内のＰＰＰｏＥパケットを解析するＰＰＰｏＥ解析部１３と、ＰＰＰパケットを解析するＰＰＰ解析部１４と、ＩＰパケットがＶｏＩＰパケットかを判定するＶｏＩＰ解析部１５と、ＰＰＰリンクを終端するＰＰＰサーバ１７と、ＰＰＰｏＥセッションを終端するＰＰＰｏＥサーバ１６と、ＰＰＰｏＥセッション情報及びＰＰＰリンク情報を管理するセッション情報管理テーブル１８とを備え、１本目のＩＰ通信接続要求をＷＡＮ側ＩＰ機器に接続し、２本目のＨ．３２３通信接続要求を終端するとともに、ＷＡＮ側ＶｏＩＰ電話機との間にＨ．３２３通信接続を確立させ、ＬＡＮ側とＷＡＮ側のＶｏＩＰ電話機との間でＨ．３２３通信を行うＰＰＰ終端装置１。【選択図】　　　　図２
2004056621.tif 000002
【特許請求の範囲】
【請求項１】
Ｈ．３２３プロトコルによって通信するＨ．３２３端末装置およびＨ．３２３プロトコル以外のプロトコルによって通信する端末装置とを収容するＬＡＮとの間で送受信するＬＡＮ側通信網送受信部と、
Ｈ．３２３プロトコルによって通信するＨ．３２３端末装置およびＨ．３２３プロトコル以外のプロトコルによって通信する端末装置とを収容するＷＡＮとの間で送受信するＷＡＮ側通信網送受信部と、
ＬＡＮ側通信網送受信部から受信したデータの内のＰＰＰｏＥパケットとＷＡＮ側通信網送受信部が受信したデータの内のＰＰＰｏＥパケットを解析するＰＰＰｏＥ解析部と、
ＰＰＰｏＥパケットのＰＰＰパケットを解析するＰＰＰ解析部と、
ＰＰＰパケット内のＩＰパケットを解析しＶｏＩＰパケットか否かを判定するＶｏＩＰ解析部と、
ＬＡＮ側から受信したＰＰＰリンクを終端するＰＰＰサーバと、
ＬＡＮ側から受信したＰＰＰｏＥセッションを終端するＰＰＰｏＥサーバと、
１本目および２本目のＰＰＰｏＥセッション情報およびＰＰＰリンク情報を管理するセッション管理テーブルと
を備え、ＬＡＮ側からの１本目のＰＰＰｏＥ／ＰＰＰ接続をＷＡＮ側のＰＰＰｏＥ／ＰＰＰサーバに中継し、ＬＡＮ側からの２本目のＰＰＰｏＥ／ＰＰＰ接続をＰＰＰ終端装置で終端し、１本目と同じ認証情報／ＩＰ情報をＬＡＮ側に返すことにより、ＬＡＮ側のＩＰ通信装置とＷＡＮ側のＩＰ通信装置間およびＬＡＮ側のＨ．３２３端末装置とＷＡＮ側のＨ．３２３端末装置間の通信を同時に行うことを特徴とするＰＰＰ終端装置。
【発明の詳細な説明】
【０００１】
【発明の属する技術分野】
本発明は、ＷＡＮ型のＩＰ通信網に接続された複数のＩＰ機器とイーサネット（Ｅｔｈｅｒｎｅｔ：登録商標）型ＬＡＮに接続された複数のＩＰ機器との間で、１つのＩＰアドレスを複数の通信で同時に利用してそれぞれ通信することを可能とするＰＰＰ終端装置に関する。
【０００２】
【従来の技術】
図５に示すように、ＰＰＰｏＥ（Ｐｏｉｎｔ−ｔｏ−Ｐｏｉｎｔ　Ｐｒｏｔｏｃｏｌ　ｏｖｅｒ　Ｅｔｈｅｒｎｅｔ）を使用してＬＡＮ（イーサネット）に収容された端末装置３１，３２をＷＡＮ（インターネット）５に収容された端末装置に接続するＩＰ通信システムにおいては、ＷＡＮ５からルータ７に対して１個のグローバルＩＰアドレスが割り当てられ、このグローバルアドレスを用いてルータ７とＷＡＮ５との間で通信が行われる。また、ＬＡＮ３に収容された端末装置３１，３２とルータ７の間では割り当てられたローカルＩＰアドレスを用いて通信が行われる。この場合、ＬＡＮ３に収容された端末装置（ＰＣ）３１によるインターネット接続とＬＡＮに収容されたＨ．３２３端末装置（ＶｏＩＰ電話機）３２によるインターネット経由の通話とで、同時にインターネットを使用することができない。ＰＣ３１とＶｏＩＰ電話機３２を同時にインターネットに接続するには、ルータ７が、ＰＰＰｏＥに対応するとともに、かつＨ．３２３ＮＡＴ（Ｎｅｔｗｏｒｋ　Ａｄｄｒｅｓｓ　Ｔｒａｎｓｌａｔｏｒ）機能を有することが必要であった。
【０００３】
ＰＰＰｏＥに対応するルータ７のＨ．３２３ＮＡＴ機能を利用して、ＰＣ３１によるインターネット接続とＨ．３２３端末装置３２によるインターネット経由の通話を同時に使用する場合、ＰＣ３１とＨ．３２３端末装置３２に割り当てられるローカルＩＰアドレスがルータ７に割り当てられるグローバルＩＰアドレスと異なることから、ＮＡＴ機能を使用してそれぞれのローカルＩＰアドレスとグローバルＩＰアドレスを変換してインターネット通話を行なわなければならない。
【０００４】
しかし、ＮＡＴ機能を使用したインターネット通話の場合、ルータ７が全てのプロトコルに対応しているわけではないので、利用できないプロトコルがある場合、このプロトコルを使用した通信はできなくなる。
【０００５】
【発明が解決しようとする課題】
ＩＰ通信システムにおいて、ＰＰＰ（Ｐｏｉｎｔ−ｔｏ−ｐｏｉｎｔ　Ｐｒｏｔｏｃｏｌ）終端装置を設け、１本目のＩＰ通信をグローバルＩＰアドレスを用いてスルーでＩＰ網に接続し、２本目のＰＰＰｏＥ／ＰＰＰ接続を終端して、通常１つしか割り当てられないグローバルＩＰアドレスを用いて、パソコンと他のＨ．３２３端末装置を同時にインターネットに接続できるようにする。
【０００６】
【課題を解決するための手段】
上記課題を解決するために、本発明は、ＬＡＮに収容されたＰＰＰｏＥに対応した複数の端末装置をＷＡＮ（インターネット）に接続するＩＰシステムにおいて、ＰＰＰｏＥ端末装置（ＰＣ）とＨ．３２３端末装置（ＶｏＩＰ電話機）を収容したＬＡＮと、インターネットとの間にＰＰＰｏＥ終端装置を設け、端末装置（ＰＣ）　またはＨ．３２３端末装置（ＶｏＩＰ電話機）とＷＡＮとの１本目のＰＰＰｏＥ接続をスルーで通し、Ｈ．３２３端末装置（ＶｏＩＰ電話機）または端末装置（ＰＣ）からの２本目のＰＰＰｏＥ接続をＰＰＰ終端装置で終端する。
【０００７】
すなわち、本発明は、ＰＰＰｏＥ接続に対応した端末装置（ＰＣ）とＰＰＰｏＥに対応したＨ．３２３端末装置（ＶｏＩＰ電話機）を、ＰＰＰ終端装置のＬＡＮ側イーサネットに接続し、このＰＰＰ終端装置をＷＡＮ側イーサネットに接続する。
【０００８】
本発明は、このようなＩＰシステムにおいて、１本目のＰＰＰｏＥ／ＰＰＰ接続は、ＬＡＮ側からＷＡＮ側にスルーで通し、プロバイダから割り当てられたグローバルＩＰアドレスを保存する。
【０００９】
２本目のＰＰＰｏＥ／ＰＰＰ接続は、ＰＰＰ終端装置で終端し、１本目のＰＰＰ接続でプロバイダから割り当てられたグローバルＩＰアドレスを通知する。
【００１０】
ＰＰＰ終端装置のＬＡＮ側で受信したＰＰＰｏＥパケットがＨ．３２３プロトコルである場合、そのパケットを送信した端末装置をＨ．３２３端末装置として認識する。また、ＰＰＰ終端装置のセッション情報管理テーブルに設定されたＨ．３２３端末装置のＭＡＣアドレスによって、Ｈ．３２３端末装置を認識する。
【００１１】
ＰＰＰ終端装置は、ＷＡＮ側から受信したＨ．３２３パケットの内部を解析し、Ｈ．３２３パケットであると判断した場合、受信したパケットの宛先がＨ．３２３端末装置として認識する。
【００１２】
ＰＰＰ終端装置のＷＡＮ側で受信したＨ．３２３パケットは、上記Ｈ．３２３端末装置認識手順でＨ．３２３端末装置と認識した端末装置に送信する。
【００１３】
一端がパソコン（ＰＣ）やＨ．３２３端末装置が収容されるＬＡＮに接続され、他端がブリッジを介してＷＡＮ（インターネット）に接続されるＰＰＰ終端装置において、例えばＰＣ３１をＷＡＮに接続する一つ目の接続は、ＰＰＰｏＥ／ＰＰＰ接続としてＬＡＮ側からＷＡＮ側へＰＰＰ終端装置およびルータを介してスルーで通過し、Ｈ．３２３端末装置をＷＡＮに接続する二つ目の接続は、ＬＡＮ側のＰＰＰｏＥ／ＰＰＰ接続がＰＰＰ終端装置で終端する。ＰＰＰ終端装置がＬＡＮ側から受信したＩＰパケットがいずれの端末装置からのＩＰパケットであるかの認識は、ＰＰＰｏＥセッション情報によって行う。ＷＡＮ側から受信したＩＰパケットをＬＡＮ側に接続された端末装置へ振り分ける。
【００１４】
このようにして、ＰＰＰｏＥを終端し、ＰＰＰｏＥ１セッションに対して１つしか割り当てられないＩＰアドレスをＬＡＮに収容された複数の端末装置で共用することができる。
【００１５】
【発明の実施の形態】
図１を用いて、端末装置（ＰＣ）とＨ．３２３端末装置（ＶｏＩＰ電話機）がひとつのＩＰアドレスを使用して同時にＩＰ通信を行う、本発明にかかるＰＰＰ終端装置を用いたＩＰ通信システムの構成の概要を説明する。
【００１６】
このＩＰ通信システムは、ＰＰＰ終端装置１に接続されるＬＡＮ３に収容された端末装置（ＰＣ）３１、Ｈ．３２３端末装置（ＶｏＩＰ電話機）３２と、ＩＰ通信網５に接続された端末装置（ＰＣ）５４、Ｈ．３２３端末装置（ＶｏＩＰ電話機）５３との間でＩＰ通信するシステムであり、ＰＰＰｏＥ終端装置１はブリッジ５１とＰＰＰｏＥサーバ５２を介してＩＰ通信網５に接続される。ＬＡＮ３に収容された端末装置（ＰＣ）３１は、ＩＰ通信網５内の通信端末（ＰＣ）５４との間でＩＰ通信を実行し、ＬＡＮ３に収容されたＨ．３２３端末装置（ＶｏＩＰ電話機）３２は、ＩＰ通信網内のＨ．３２３端末装置（ＶｏＩＰ電話機）５３との間で、インターネットを介したＩＰ通話を行う。
【００１７】
１本目のＩＰ通信は、ＰＰＰ終端装置１を通過してＰＰＰｏＥ接続され、２本目のＩＰ通信は、ＰＰＰ終端装置１でＬＡＮ側のＰＰＰｏＥ接続がそれぞれ終端される。
【００１８】
図２を用いて、本発明にかかるＰＰＰ終端装置１の構造の概要を説明する。ＰＰＰ終端装置１は、ＬＡＮ３に接続されるＬＡＮ側イーサネット送受信部１１と、ＷＡＮ（ＩＰ通信網）５に接続されるＷＡＮ側イーサネット送受信部１２と、ＰＰＰｏＥ解析部１３と、ＰＰＰ解析部１４と、ＶｏＩＰ解析部１５と、ＰＰＰｏＥサーバ１６と、ＰＰＰサーバ１７と、セッション情報管理テーブル１８とを有して構成される。図において、実線はパケットの流れを示し、点線はテーブルの読み書きを示している。
【００１９】
ＬＡＮ側イーサネット送受信部１１は、送信時には、ＷＡＮ側イーサネット送受信部１２、ＰＰＰｏＥ解析部１３などから要求された送信パケットをＬＡＮ側インターフェースに送信する機能を有している。また、ＬＡＮ側イーサネット送受信部１１は、受信時には、ＬＡＮ側インターフェースから受信したデータの内からＰＰＰｏＥパケットを抽出してＰＰＰｏＥ解析部１３に送信し、それ以外のパケットをＷＡＮ側イーサネット送受信部１２に転送する機能を有している。
【００２０】
ＷＡＮ側イーサネット送受信部１２は、送信時には、ＬＡＮ側イーサネット送受信部１１、ＰＰＰｏＥ解析部１３から要求された送信パケットをＷＡＮ側インターフェースに送信する機能を有している。また、ＷＡＮ側イーサネット送受信部１２は、受信時には、ＷＡＮ側インターフェースから受信したデータの内からＰＰＰｏＥパケットを抽出してＰＰＰｏＥ解析部１３に送信し、それ以外のパケットをＬＡＮ側イーサネット送受信部１１に転送する機能を有している。
【００２１】
ＰＰＰｏＥ解析部１３は、ＬＡＮ側イーサネット送受信部１１から受信したＰＰＰｏＥパケットを解析し、１本目のＰＰＰｏＥディスカバリパケットならＷＡＮ側イーサネット送受信部１２に送信し、１本目のＰＰＰｏＥセッションパケットならＰＰＰ解析部１４に送信し、２本目のＰＰＰｏＥディスカバリ／セッションパケットならＰＰＰｏＥサーバ１６に送信する機能を有している。
【００２２】
また、ＰＰＰｏＥ解析部１３は、ＷＡＮ側イーサネット送受信部１２から受信したＰＰＰｏＥパケットを解析し、ＰＰＰｏＥセッションパケットをＰＰＰ解析部１４に送信し、ＰＰＰｏＥディスカバリパケットをＬＡＮ側イーサネット送受信部１１へ送信する機能を有している。
【００２３】
ＰＰＰ解析部１４は、ＰＰＰｏＥ解析部１３から受信したＰＰＰｏＥセッションパケットの内のＰＰＰパケットを解析し、ＰＰＰパケットのペイロードがＩＰパケットなら、ＶｏＩＰ解析部１５に送信し、ＩＰパケット以外ならＰＣ３１が使用しているＰＰＰｏＥセッションにカプセル化してＬＡＮ側イーサネット送受信部１１に送信する機能を有している。
【００２４】
ＶｏＩＰ解析部１５は、ＰＰＰ解析部１４から受信したＰＰＰｏＥセッションパケット内のＩＰパケットを解析し、ＶｏＩＰパケットならＶｏＩＰ電話機３２が使用しているＰＰＰｏＥセッションにカプセル化してＬＡＮ側イーサネット送受信部１１に送信し、ＶｏＩＰパケット以外なら、ＰＣ３１が使用しているＰＰＰｏＥセッションにカプセル化してＬＡＮ側イーサネット送受信部１１に送信する機能を有している。
【００２５】
ＰＰＰｏＥサーバ１６は、ＬＡＮ側から受信した２本目のＰＰＰｏＥセッションを終端するためのＰＰＰｏＥサーバ動作を行う。
【００２６】
ＰＰＰサーバ１７は、ＬＡＮ側から受信した２本目のＰＰＰリンクを終端するためのＰＰＰサーバ動作を行う。
【００２７】
セッション情報管理テーブル１８は、１本目／２本目のＰＰＰｏＥセッション情報、ＰＰＰリンクの情報を管理するテーブルである。
【００２８】
この構成を有するＰＰＰ終端装置において、ＬＡＮ側イーサネット送受信部１１に、ＩＰ機器（端末装置（ＰＣ３１）／Ｈ．３２３端末装置３２（ＶｏＩＰ電話機３２））を接続し、ＷＡＮ側イーサネット送受信部１２にブリッジを接続する。ブリッジは、通信回線を介してＩＰ通信網と接続する。
【００２９】
ＩＰ機器（端末装置（ＰＣ３１）／Ｈ．３２３端末装置３２（ＶｏＩＰ電話機３２））は、ＰＰＰｏＥクライアント機能を有する。ＰＰＰｏＥサーバ１６は、１通信回線につき一つのＰＰＰｏＥセッションを許可する。
【００３０】
ＰＰＰ終端装置１のセッション情報管理テーブル１８に、Ｈ．３２３端末装置３２のＭＡＣアドレスが何であるかを設定する。または、ＰＰＰ終端装置のＬＡＮ側で受信したＰＰＰｏＥパケットがＨ．３２３プロトコルである場合、そのパケットを送信した端末装置をＨ．３２３端末装置として認識する。
【００３１】
図３を用いて、端末装置（ＰＣ３１）によるインターネット接続とＨ．３２３端末装置３２（ＶｏＩＰ電話機３２）によるインターネット経由のＨ．３２３通話の同時利用までの手順を説明する。
【００３２】
ＰＣ３１は、ＰＰＰｏＥの接続を開始するためにブロードキャストでＰＡＤＩ（ＰＰＰｏＥ　Ａｃｔｉｖｅ　Ｄｉｓｃｏｖｅｒｙ　Ｉｎｉｔｉａｔｉｏｎ）パケットを送信する（手順１）。
【００３３】
ＬＡＮ側からＰＡＤＩパケットを受信したＰＰＰ終端装置１は、現在ＰＰＰｏＥ接続が確立していないことから、受信したＰＡＤＩパケットをＩＰ通信網５側に送信する（手順２）。
【００３４】
ＰＡＤＩパケットを受信したＩＰ通信網５側のＮＴＴやプロバイダなどのＰＰＰｏＥサーバ５２は、ＰＣ３１のＭＡＣアドレス宛てにＰＡＤＯ（ＰＰＰｏＥ　Ａｃｔｉｖｅ　Ｄｉｓｃｏｖｅｒｙ　Ｏｆｆｅｒ）パケットを送信する（手順３）。
【００３５】
ＩＰ通信網５側からＰＡＤＯパケットを受信したＰＰＰ終端装置１は、ＰＣ３１に受信したＰＡＤＯパケットを送信する（手順４）。
【００３６】
ＰＡＤＯパケットを受信したＰＣ３１は、ＩＰ通信網５側のＰＰＰｏＥサーバ５２のＭＡＣアドレス宛てにＰＡＤＲ（ＰＰＰｏＥ　Ａｃｔｉｖｅ　Ｄｉｓｃｏｖｅｒｙ　Ｒｅｓｐｏｎｓｅ）パケットを送信する（手順５）。
【００３７】
ＰＣ３１からＰＡＤＲパケットを受信したＰＰＰ終端装置１は、ＩＰ通信網５側に受信したＰＡＤＲパケットを送信する（手順６）。
【００３８】
ＰＡＤＲパケットを受信したＩＰ通信網５側のＰＰＰｏＥサーバ５２は、ＰＣ３１のＭＡＣアドレス宛てにＰＡＤＳ（ＰＰＰｏＥ　Ａｃｔｉｖｅ　Ｄｉｓｃｏｖｅｒｙ　Ｓｅｓｓｉｏｎ−ｃｏｎｆｉｒｍａｔｉｏｎ）パケットを送信する（手順７）。
【００３９】
ＩＰ通信網５側からＰＡＤＳパケットを受信したＰＰＰ終端装置１は、ＰＣ３１へ受信したＰＡＤＳパケットを送信する（手順８）。
【００４０】
ＰＣ３１が、ＰＡＤＳパケットを受信する（手順９）と、ＰＣ３１とＩＰ通信網５側のＰＰＰｏＥサーバ５２間のＰＰＰｏＥ接続が確立する。
【００４１】
ＰＣ３１とＩＰ通信網５側のＰＰＰｏＥサーバ５２間で確立したＰＰＰｏＥ接続を使用して、ＰＰＰの接続を行う（手順１０）。
【００４２】
ＰＰＰ終端装置１は、ＰＣ３１とＩＰ通信網５側のＰＰＰｏＥサーバ５２間のＰＰＰパケットを監視して、ＰＰＰの認証情報、ＩＰアドレス情報などを記憶する（手順１１）。
【００４３】
ＰＣ３１とＩＰ通信網５側のＰＣ５４間でＩＰ通信を行う（手順１２）。
【００４４】
ここで、インターネットを介したＨ．３２３通話を希望するＨ．３２３端末装置３２は、ＰＰＰｏＥの接続を開始するためにブロードキャストでＰＡＤＩパケットを送信する（手順１３）。
【００４５】
Ｈ．３２３端末装置３２からＰＡＤＩパケットを受信したＰＰＰ終端装置１は、既にＰＣ３１とＰＰＰｏＥサーバ５２間でＰＰＰｏＥ接続が確立しているため、ＰＰＰｏＥサーバとして動作し、Ｈ．３２３端末装置３２のＭＡＣアドレス宛てにＰＡＤＯパケットを送信する（手順１４）。
【００４６】
ＰＡＤＯパケットを受信したＨ．３２３端末装置３２は、ＰＰＰ終端装置１のＰＰＰｏＥサーバ１６のＭＡＣアドレス宛てにＰＡＤＲパケットを送信する（手順１５）。
【００４７】
Ｈ．３２３端末装置３２からＰＡＤＲパケットを受信したＰＰＰ終端装置１は、Ｈ．３２３端末装置３２のＭＡＣアドレス宛てにＰＡＤＳパケットを送信する（手順１６）。
【００４８】
Ｈ．３２３端末装置３２が、ＰＡＤＳパケットを受信すると、Ｈ．３２３端末装置３２とＰＰＰ終端装置１のＰＰＰｏＥサーバ１６間のＰＰＰｏＥ接続が確立する（手順１７）。
【００４９】
Ｈ．３２３端末装置３２とＰＰＰ終端装置１のＰＰＰｏＥサーバ１６間で確立したＰＰＰｏＥ接続を使用して、ＰＰＰの接続を行う（手順１８）。このときＰＰＰの認証情報、ＩＰアドレス情報などは、前記手順１１で記憶したものを使用する。ＰＣ３１とＨ．３２３端末装置３２のＰＰＰｏＥインタフェースのＩＰアドレスは、同じものになる。
【００５０】
ＰＰＰ終端装置１は、Ｈ．３２３端末装置３２からのＨ．３２３プロトコルのパケットをＩＰ通信網５のＨ．３２３端末装置（ＶｏＩＰ電話機）５３側に送信するとともに、ＩＰ通信網５側からのパケットを解析し、Ｈ．３２３プロトコルのパケットをＨ．３２３端末装置３２に送信して、Ｈ．３２３端末装置３２とＩＰ通信網５側のＨ．３２３端末装置５３との間でＨ．３２３通信を行う（手順１９）。
【００５１】
同様に、ＰＰＰ終端装置１は、ＰＣ３１からのＨ．３２３プロトコル以外のパケットをＩＰ通信網５のＰＣ５４に送信するとともに、ＩＰ通信網５のＰＣ５４からのパケットを解析し、Ｈ．３２３プロトコル以外のパケットをＰＣ３１に送信して、ＰＣ３１とＩＰ通信網５側のＰＣ５４間でＩＰ通信を行う（手順２０）。
【００５２】
このようにして、ＰＰＰｏＥ終端装置１に収容された端末装置（ＰＣ）３１およびＨ．３２３端末装置（ＶｏＩＰ電話機）３２と、ＩＰ通信網５内の端末装置およびＨ．３２３端末装置（ＶｏＩＰ電話機）５３との間で、同時に１つのＩＰアドレスを使用してＩＰ通信を行うことができる。
【００５３】
図４を用いて、本発明の第２の実施の形態にかかるＰＰＰ終端装置１の構成の概要を説明する。
【００５４】
ＰＰＰ終端装置１は、ＬＡＮ３に接続されるＬＡＮ側イーサネット送受信部１１と、ＷＡＮ（ＩＰ通信網）５に接続されるＷＡＮ側ＡＤＳＬ送受信部１９と、ＰＰＰｏＥ解析部１３と、ＰＰＰ解析部１４と、ＶｏＩＰ解析部１５と、ＰＰＰｏＥサーバ１６と、ＰＰＰサーバ１７と、セッション情報管理テーブル１８とを有して構成される。さらにこの実施の形態にかかるＰＰＰ終端装置１は、キー入力制御部２０と、呼制御部２１と、音声制御部２２と、Ｈ．３２３制御部２３と、ＴＣＰ／ＩＰ制御部２４と、ＰＰＰクライアント２５と、ＰＰＰｏＥクライアント２６を有して構成される。図において、実線はパケットの流れを示し、点線はテーブルの読み書きを示している。
【００５５】
ＬＡＮ側イーサネット送受信部１１は、送信時には、ＷＡＮ側ＡＤＳＬ送受信部１９、ＰＰＰｏＥ解析部１３などから要求された送信パケットをＬＡＮ側インターフェースに送信する。ＬＡＮ側イーサネット送受信部１１は、受信時には、ＬＡＮ側インターフェースから受信したデータの内ＰＰＰｏＥパケットをＰＰＰｏＥ解析部１３に送信し、それ以外のパケットをＷＡＮ側ＡＤＳＬ送受信部１９に送信する。
【００５６】
ＰＰＰｏＥ解析部１３は、ＬＡＮ側イーサネット送受信部１１から受信したＰＰＰｏＥパケットを解析し、ＰＰＰｏＥディスカバリパケットならＷＡＮ側ＡＤＳＬ送受信部１９に送信し、ＰＰＰｏＥセッションパケットならＰＰＰｏＥ解析部１３に送信する。
【００５７】
ＰＰＰｏＥ解析部１３は、ＷＡＮ側ＡＤＳＬ送受信部１９から受信したＰＰＰｏＥパケットを解析し、ＰＰＰｏＥセッションパケットをＰＰＰ解析部１４に送信し、ＰＰＰｏＥディスカバリパケットをＬＡＮ側イーサネット送受信部１１する。
【００５８】
ＰＰＰ解析部１４は、ＰＰＰｏＥ解析部１３から受信したＰＰＰｏＥパケットの内のＰＰＰパケットを解析し、ＰＰＰパケットのペイロードがＩＰパケットなら、ＶｏＩＰ解析部１５に送信し、ＩＰパケット以外ならＰＣ３１が使用しているＰＰＰｏＥセッションにカプセル化してＬＡＮ側イーサネット送受信部１１に送信する。
【００５９】
ＶｏＩＰ解析部１５は、ＰＰＰ解析部１４から受信したＰＰＰｏＥパケット内のＩＰパケットを解析し、ＶｏＩＰパケットならＴＣＰ／ＩＰ制御部に送信し、ＶｏＩＰパケット以外なら、ＰＣ３１が使用しているＰＰＰｏＥセッションにカプセル化してＬＡＮ側イーサネット送受信部１１に送信する。
【００６０】
ＰＰＰｏＥサーバ１６は、ＰＰＰｏＥクライアント２６とＩＰ通信網５側のＰＰＰｏＥ間にＰＰＰｏＥセッションが確立している場合に、ＬＡＮ側から受信したＰＰＰｏＥセッションを終端するためのＰＰＰｏＥサーバ動作を行う。
【００６１】
ＰＰＰサーバ１７は、ＰＰＰクライアント２５とＩＰ通信網５側のＰＰＰサーバ間にＰＰＰリンクが確立している場合に、ＬＡＮ側から受信したＰＰＰリンクを終端するためのＰＰＰサーバ動作を行う。
【００６２】
セッション情報管理テーブル１８は、ＬＡＮ側のＰＣ３１とＩＰ通信網５側のＰＰＰｏＥ／ＰＰＰサーバ間のＰＰＰｏＥセッション情報、ＰＰＰリンクの情報を管理するテーブルである。セッション情報管理テーブル１８は、または、ＬＡＮ側のＰＣ３１とＰＰＰｏＥ解析部１３／ＰＰＰ解析部１４間とのＰＰＰｏＥクライアント２６／ＰＰＰクライアント２５とＩＰ通信網５側のＰＰＰｏＥ／ＰＰＰサーバ間のセッション情報、ＰＰＰリンク情報を管理するテーブルである。
【００６３】
ＷＡＮ側ＡＤＳＬ送受信部１９は、送信時には、ＬＡＮ側イーサネット送受信部１１、ＰＰＰｏＥ解析部１３から要求された送信パケットをＷＡＮ側インターフェースに送信する。ＷＡＮ側ＡＤＳＬ送受信部１９は、受信時には、ＷＡＮ側インターフェースから受信したデータの内ＰＰＰｏＥパケットをＰＰＰｏＥ解析部１３に送信し、それ以外のパケットをＬＡＮ側イーサネット送受信部１１に送信する。
【００６４】
キー入力制御部２０は、キー入力、フックなどのユーザ操作を取込む。
【００６５】
呼制御部２１は、キー入力などによる発呼時にＨ．３２３制御部２３に発呼の要求を行う。インターネット網５内からの着呼時に音声制御部２２に呼出音の出力の要求を行う。といった呼に関する制御を行う。
【００６６】
音声制御部２２は、マイク入力、スピーカ入力およびボコーダ／デコーダの処理を行う。
【００６７】
Ｈ．３２３制御部２３は、端末装置とインターネット網内のＨ．３２３端末装置３２間のＨ．３２３手順によるＩＰシグナリング処理を行う。
【００６８】
ＴＣＰ／ＩＰ制御部２４は、端末装置とインターネット網内のＨ．３２３端末装置３２との間でＴＣＰ／ＩＰパケットを送受信する機能を持つ。
【００６９】
ＰＰＰｏＥクライアント２６は、端末装置発信の場合に、インターネット網５のＰＰＰｏＥサーバ５２と接続するためのＰＰＰｏＥクライアントである。
【００７０】
ＰＰＰクライアント２５、端末装置発信の場合に、インターネット網のＰＰＰサーバと接続するためのＰＰＰクライアントである。
【００７１】
この構成とすることによって、ＰＰＰ終端装置１に収容された端末装置（ＰＣ）３１およびＰＰＰ終端装置１内のＨ．３２３端末機能と、ＩＰ通信網５内の端末装置（ＰＣ）５４およびＨ．３２３端末装置（ＶｏＩＰ電話機）５３との間で、同時に１つのＩＰアドレスを使用してＩＰ通信を行うことができる。
【００７２】
以上の発明では、一方の通信がＨ．３２３プロトコルを使用する例によって説明したが、本発明は、Ｈ．３２３プロトコルによる通信に限らず、他のプロトコルによる通信とすることも可能である。この場合、対応するプロトコルの使用するトランスポートプロトコルが、ＴＣＰ／ＵＤＰなどのようにポート番号（ＴＣＰポート／ＵＤＰポート）が固定の場合は、図２のＶｏＩＰ解析部をＴＣＰ／ＩＰ解析部に置き換え、ＴＣＰ／ＩＰ解析部でトランスポートプロトコルとポート番号をチェックして、ＰＣとそれ以外の通信端末の通信を仕分けることが可能である。
【００７３】
【発明の効果】
本発明によれば、ＰＰＰｏＥ接続において、ＬＡＮに収容されたＰＣとＨ．３２３端末装置がＩＰ通信網を同時に使用して対向するＩＰ機器と通信することができる。
【００７４】
本発明によれば、Ｈ．３２３端末装置以外のプロトコルにおいても適応することができる。
【図面の簡単な説明】
【図１】本発明かかるＰＰＰ終端装置を用いたＩＰ通信システムの構成の概要を説明する図。
【図２】本発明にかかるＰＰＰ終端装置の構成の概要を説明するブロック図。
【図３】本発明にかかるＰＰＰ終端装置を用いたＩＰ通信システムにおける接続処理を説明する接続シーケンス図。
【図４】本発明の第２の実施の形態にかかるＰＰＰ終端装置の構成の概要を説明するブロック図。
【図５】従来のＩＰ通信システムの構成の概要を説明する図。
【符号の説明】
１　ＰＰＰ終端装置
１１　ＬＡＮ側イーサネット送受信部
１２　ＷＡＮ側イーサネット送受信部
１３　ＰＰＰｏＥ解析部
１４　ＰＰＰ解析部
１５　ＶｏＩＰ解析部
１６　ＰＰＰｏＥサーバ
１７　ＰＰＰサーバ
１８　セッション情報管理テーブル
１９　ＷＡＮ側ＡＤＳＬ送受信部
２０　キー入力制御部
２１　呼制御部
２２　音声制御部
２３　Ｈ．３２３制御部
２４　ＴＣＰ／ＩＰ制御部
２５　ＰＰＰクライアント
２６　ＰＰＰｏＥクライアント
３　ＬＡＮ
３１　端末装置（ＰＣ）
３２　Ｈ．３２３端末装置（ＶｏＩＰ電話機）
５　ＩＰ通信網
５１　ブリッジ／モデム
５２　ＰＰＰｏＥサーバ
５３　Ｈ．３２３端末装置（ＶｏＩＰ電話機）
５４　端末装置（ＰＣ）
７　ルータ（ＰＰＰｏＥ対応、Ｈ．３２３ＮＡＴ機能）
【図１】
2004056621.tif 000003
【図２】
2004056621.tif 000004
【図３】
2004056621.tif 000005
【図４】
2004056621.tif 000006
【図５】
2004056621.tif 000007